(57)【要約】      （修正有）【課題】弾性構造を有する針なしコネクタを提供する。【解決手段】導管に連接するための針なしコネクタであって、ケース１１と、弾性のフレーム１３と、ロッド１４と、キャップ１２とを有し、ケースは、第１中空チューブと第１係合部を有し、第１中空チューブが導管に連接され、弾性のフレームは、ケースの内部に収納されると共に、第１ストッパーと、第２ストッパーと、第２係合部と、第３係合部とを有し、第２係合部が第１係合部と係合し、ロッドは、弾性のフレームの内部に収納される。さらに、第２中空チューブと、係合リングと、ストッパーリングと、実心部とを有し、第２中空チューブが第１中空チューブの内部に連接され、係合リングが第３係合部に連接され、第１ストッパーに接触され、ストッパーリングが第２ストッパーに接触され、キャップは、ケースに連接されることにより、実心部が収容されることを特徴とする。【選択図】図１
0003184043.tif 000002
【実用新案登録請求の範囲】
【請求項１】
導管に連接するための針なしコネクタであって、ケースと、弾性のフレームと、ロッドと、キャップとを有し、前記ケースは、第１中空チューブと第１係合部を有し、前記第１中空チューブが前記導管に連接され、前記弾性のフレームは、前記ケースの内部に収納されると共に、第１ストッパーと、第２ストッパーと、第２係合部と、第３係合部とを有し、前記第２係合部が前記第１係合部を係合するためのものであり、前記ロッドは、前記弾性のフレームの内部に収納されると共に、第２中空チューブと、係合リングと、ストッパーリングと、実心部とを有し、前記第２中空チューブが前記第１中空チューブの内部に連接され、前記係合リングが前記第３係合部に連接されると共に、前記第１ストッパーに接触され、前記ストッパーリングが前記第２ストッパーに接触され、前記キャップは、前記ケースに連接されることにより、前記実心部が収容され、針なし注射器が前記実心部を押圧すると、前記ロッドが前記弾性のフレームを押圧することにより、前記ロッドと前記ケースとの間に隙間が形成され、前記針なし注射器が前記実心部から離れると、前記ロッドと前記ケースが密接状態に戻ることを特徴とする針なしコネクタ。
【請求項２】
前記ケースは、更に第１外部ねじ山が形成されることにより、前記導管を固定することができることを特徴とする請求項１に記載の針なしコネクタ。
【請求項３】
前記ロッドは、更に前記第２中空チューブに連通する横方向の貫通孔が形成されることを特徴とする請求項１に記載の針なしコネクタ。
【請求項４】
前記実心部の一端面に十字形のスリットが形成されることを特徴とする請求項１に記載の針なしコネクタ。
【請求項５】
前記キャップは、更に第２外部ねじ山が形成されることにより、前記針なし注射器を固定することができることを特徴とする請求項１に記載の針なしコネクタ。
【考案の詳細な説明】
【技術分野】
【０００１】
本考案は、針なしコネクタに関するものであり、特に弾性構造を有する針なしコネクタに関するものである。
【背景技術】
【０００２】
従来、薬液を導管又は点滴ボトルに注入しようとする場合には、注射器によって筒体内の薬液を前記導管又は点滴ボトル内に注入し、そして注入された薬液は液輸送チューブを介して患者の体内に流れ込むこととなる。また、従来の注射器には必ずカニューレが設けられており、そのカニューレによって医療人員が刺されてしまうリスクがあり、このリスクを解消するために様々な針なしコネクタが開発されている。
【考案の概要】
【考案が解決しようとする課題】
【０００３】
しかし、このような針なしコネクタは、構造が複雑で値段も高く、更に、漏れ防止の効果が悪いという問題がある。
【０００４】
上述の問題があるため、本考案人は、前記問題に鑑み、上述の問題を解決するために、鋭意研究をしてテストにもよって使用可能を証明し、ようやく本考案の針なしコネクタを開発することにより、前記の問題を解決し得るものである。
【課題を解決するための手段】
【０００５】
本考案の主な目的は、針なしコネクタを提供し、軟性のフレームによって液体の通路の開閉を制御し、その構造が簡単で、コストが安く、組立てと操作も簡単であり、且つ気密と漏れ防止の優れた効果を同時に有することにある。
【０００６】
上記の目的を達成するために、本考案により提供される針なしコネクタは、導管に連接するための針なしコネクタであって、ケースと、弾性のフレームと、ロッドと、キャップとを有し、前記ケースは、第１中空チューブと第１係合部を有し、前記第１中空チューブが前記導管に連接され、前記弾性のフレームは、前記ケースの内部に収納されると共に、第１ストッパーと、第２ストッパーと、第２係合部と、第３係合部とを有し、前記第２係合部が前記第１係合部を係合するためのものであり、前記ロッドは、前記弾性のフレームの内部に収納されると共に、第２中空チューブと、係合リングと、ストッパーリングと、実心部とを有し、前記第２中空チューブが前記第１中空チューブの内部に連接され、前記係合リングが前記第３係合部に連接されると共に、前記第１ストッパーに接触され、前記ストッパーリングが前記第２ストッパーに接触され、前記キャップは、前記ケースに連接されることにより、前記実心部が収容され、針なし注射器が前記実心部を押圧すると、前記ロッドが前記弾性のフレームを押圧することにより、前記ロッドと前記ケースとの間に隙間が形成され、前記針なし注射器が前記実心部から離れると、前記ロッドと前記ケースが密接状態に戻ることを特徴とする。
【０００７】
前記の構成において、前記ケースは、更に第１外部ねじ山が形成されることにより、前記導管を固定することができる。
【０００８】
前記の構成において、前記ロッドは、更に前記第２中空チューブに連通する横方向の貫通孔が形成される。
【０００９】
前記の構成において、前記実心部の一端面に十字形のスリットが形成される。
【００１０】
前記の構成において、前記キャップは、更に第２外部ねじ山が形成されることにより、針なし注射器を固定することができる。
【考案の効果】
【００１１】
本考案は上記の構成を有するので、本考案によって提供される針なしコネクタによれば、その構成が簡単で、製作コストが低く、製作技術の難しさも高くないため、優れた密接効果を有すると共に、液体を外に漏れにくく、商品としての価値がある。
【図面の簡単な説明】
【００１２】
【図１】本考案に係わる針なしコネクタの斜視参考図。
【図２】本考案に係わる針なしコネクタの側面参考図。
【図３】本考案に係わる針なしコネクタにおけるケースの側面参考図。
【図４】本考案に係わる針なしコネクタにおける弾性のフレームの斜視図。
【図５】本考案に係わる針なしコネクタにおけるロッドの斜視図。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１に示すのは、本考案に係わる針なしコネクタの斜視参考図である。本考案に係わる針なしコネクタは、導管（図面なし）と連接することにより、薬剤が前記導管を介して患者の体内に流れ込むようにするための針なしコネクタであり、ケース（１１）と、キャップ（１２）と、弾性のフレーム（１３）と、ロッド（１４）とを有し、先ず前記ロッド（１４）と前記弾性のフレーム（１３）とを組立てた後、前記ケース（１１）の内部に設置し、次に前記キャップ（１２）を前記ロッド（１４）と連接すると共に、前記ケース（１１）と密接させ、最後に超音波接合によって一体形成とする。
【００１５】
本考案に係わる針なしコネクタの使用時、針なし注射器（図面なし）が前記ロッド（１４）の十字形のスリット（１４１）を押圧することにより、前記針なし注射器と前記キャップ（１２）とが密接すると共に、前記ロッド（１４）が前記弾性のフレーム（１３）を押圧することで、前記ロッド（１４）と前記ケース（１１）との間に隙間が形成され、この時、薬液を本考案の針なしコネクタに注入することができ、注入された薬液は前記十字形のスリット（１４１）と隙間に沿って、前記導管を介して患者の体内に流れ込むことができる。
【００１６】
図２に示すのは、本考案に係わる針なしコネクタの側面参考図である。図面から分かるように、ケース（２１）には、第１外部ねじ山（２１１）が形成されることにより、外部の導管を螺合して固定することができる。キャップ（１２）には、第２外部ねじ山（２２１）が形成されることにより、外部の針なし注射器を固定することができる。弾性のフレーム（２３）は、第１ストッパー（２３１）と第２ストッパー（２３２）を有すると共に、ロッド（２４）と緊密に接合する。
【００１７】
図３ないし図５を同時に参照しつつ、図３に示すケース（３１）は、外部の導管と、第１係合部（３１２）と、第１中空チューブ（３１３）とを螺合するための第２外部ねじ山（３１１）が形成される。図４に示す弾性のフレーム（４１）は、第１ストッパー（４１１）と、第２ストッパー（４１２）と、第２係合部（４１３）と、第３係合部（４１４）とを有する。図５に示すロッド（５１）は、第２中空チューブ（５１１）と、係合リング（５１２）と、ストッパーリング（５１３）と、実心部（５１４）と、横方向の貫通孔（５１５）と、十字形のスリット（５１６）とを有する。
【００１８】
前記第１中空チューブ（３１３）は、前記外部の導管と連接され、前記第２外部ねじ山（３１１）は、前記外部の導管を螺合するものであり、前記第１係合部（３１２）は、前記第２係合部（４１３）を係合するためのものであり、前記第２中空チューブ（５１１）は、前記第１中空チューブ（３１３）の内部に連接され、前記係合リング（５１２）は、前記第３係合部（４１４）と連接されると共に前記第１ストッパー（４１１）に接触し、前記ストッパーリング（５１３）は、前記第２ストッパー（４１２）に接触する。
【００１９】
再び図２を参照し、針なし注射器（図面なし）を使用して前記ロッド（２４）を押圧すると、前記ロッド（２４）が前記弾性のフレーム（２３）を押圧すると共に、前記弾性のフレーム（２３）を移動させた後、前記ロッド（２４）と前記ケース（２１）との間に隙間が形成され、この時、前記針なし注射器に圧力をかけると、薬液が図５に示す前記十字形のスリット（５１６）に沿って前記隙間を介して前記横方向の貫通孔（５１５）と前記第２中空チューブ（５１１）とに流れ込み、次いで図３に示す前記第１中空チューブ（３１３）と前記外部の導管とに流れ込み、最後に患者の体内に流れ込むこととなる。前記針なし注射器が前記実心部（５１４）から離れると、前記ロッド（２４）と前記ケース（２１）とが密接状態に戻る。
【００２０】
上述したように、本考案の針なしコネクタは、構造が簡単で、コストも低く、使用上にも便利で、医療人員が針によって刺されてしまうリスクを防止でき、便利と安全な薬剤の添加作業を行うことができるので、従来の課題を解決することができる。
【００２１】
上述の詳細な説明は、本考案の好適な実施例を説明したが、本考案は、前記の実施例に限られるものではなく、本考案における技術特徴と等しい効果の実施や変更などが実用新案登録請求の範囲に含まれるべきである。
【符号の説明】
【００２２】
１１…ケース、
１２…キャップ、
１３…弾性のフレーム、
１４…ロッド、
１４１…十字形のスリット、
２１…ケース、
２１１…第１外部ねじ山、
２２…キャップ、
２２１…第２外部ねじ山、
２３…弾性のフレーム、
２３１…第１ストッパー、
２３２…第２ストッパー、
２４…ロッド、
３１…ケース、
３１１…第２外部ねじ山、
３１２…第１係合部、
３１３…第１中空チューブ、
４１…弾性のフレーム、
４１１…第１ストッパー、
４１２…第２ストッパー、
４１３…第２係合部、
４１４…第３係合部、
５１…ロッド、
５１１…第２中空チューブ、
５１２…係合リング、
５１３…ストッパーリング、
５１４…実心部、
５１５…横方向の貫通孔、
５１６…十字形のスリット。
【図１】
0003184043.tif 000003
【図２】
0003184043.tif 000004
【図３】
0003184043.tif 000005
【図４】
0003184043.tif 000006
【図５】
0003184043.tif 000007